(57)【要約】【課題】設備機器管理システムに接続して使用可能な設備機器を提供する。【解決手段】設備機器である浴室暖房換気乾燥装置１は、設備機器管理システム１００と接続される通信制御部１０と、設備機器管理システム１００に情報を出力すると共に、設備機器管理システム１００から外部制御情報が入力される制御部１６を備える。【選択図】    図１
2014110455.tif 000002
【特許請求の範囲】
【請求項１】
通信回線に主制御手段が接続された設備機器管理システムの前記通信回線と接続される通信制御手段と、
前記通信制御手段で接続された前記設備機器管理システムの前記主制御手段に情報を出力すると共に、
前記設備機器管理システムから入力された外部制御情報に基づき被制御手段を制御する制御手段と、
を備えたことを特徴とする設備機器。
【請求項２】
前記制御手段は、前記設備機器管理システムに接続された外部システムに、当該機器を登録する管理情報を出力する
ことを特徴とする請求項１に記載の設備機器。
【請求項３】
前記制御手段は、当該機器の使用者情報を前記設備機器管理システムに接続された外部システムに出力するか否かを選択させる操作を、前記設備機器管理システムに接続された外部端末装置で行わせる
ことを特徴とする請求項２に記載の設備機器。
【請求項４】
前記制御手段は、前記設備機器管理システムに接続された外部システムに、当該機器の運転管理情報を出力する
ことを特徴とする請求項１〜請求項３の何れか１項に記載の設備機器。
【請求項５】
前記制御手段は、当該機器の設置場所に関連した関連情報を検出する検出手段を備え、
前記設備機器管理システムに接続された外部システムまたは外部端末装置に、当該機器の設置場所に関連した関連情報を出力する
ことを特徴とする請求項１〜請求項４の何れか１項に記載の設備機器。
【請求項６】
通信回線と接続された主制御手段と、
前記通信回線と接続される設備機器を備え、
前記設備機器は、
前記通信回線と接続される通信制御手段と、
前記通信制御手段で接続された前記主制御手段に情報を出力すると共に、
前記主制御手段から入力された外部制御情報に基づき被制御手段を制御する制御手段とを備えた
ことを特徴とする設備機器管理システム。
【請求項７】
前記設備機器は、前記通信回線に接続された外部システムに、前記設備機器を登録する管理情報を出力し、
前記外部システムは、前記設備機器の管理情報を保存する
ことを特徴とする請求項６に記載の設備機器管理システム。
【請求項８】
前記設備機器は、前記通信回線に接続された外部システムに、前記設備機器の運転管理情報を出力し、
前記外部システムは、前記設備機器の運転管理情報を保存すると共に、運転管理情報に基づく機器管理情報を、前記設備機器に出力する
ことを特徴とする請求項６または請求項７に記載の設備機器管理システム。
【発明の詳細な説明】
【技術分野】
【０００１】
本発明は、住宅に設置される設備機器及び設備機器が接続された設備機器管理システムに関する。
【背景技術】
【０００２】
近年、ホームエネルギーマネージメントシステム（ＨＥＭＳ）と称される住宅に設置される家電機器等の設備機器の管理システムが提案されている。このような設備機器管理システムでは、携帯電話等の外部の端末装置で設備機器を操作できるようにすると共に、外部端末装置での操作で動作していることを、外部端末装置に通知する技術が提案されている（例えば、特許文献１参照）。
【先行技術文献】
【特許文献】
【０００３】
【特許文献１】特許４６２１６４３号公報
【発明の概要】
【発明が解決しようとする課題】
【０００４】
携帯電話等の外部端末装置で設備機器の操作をできるようにすると、外出先での操作が可能となる。また、外部端末装置での操作で動作していることを、外部端末装置で確認可能となる。しかし、設備機器の監視、管理に必要な情報を、設備機器と設備機器管理システムあるいは設備機器管理システムに接続された外部の装置との間で入出力して、設備機器の監視、管理を行うことができなかった。
【０００５】
本発明は、このような課題を解決するためになされたもので、設備機器管理システムに接続して使用される設備機器及び設備機器が接続された設備機器管理システムを提供することを目的とする。
【課題を解決するための手段】
【０００６】
上述した課題を解決するため、本発明は、通信回線に主制御手段が接続された設備機器管理システムの通信回線と接続される通信制御手段と、通信制御手段で接続された設備機器管理システムの主制御手段に情報を出力すると共に、設備機器管理システムから入力された外部制御情報に基づき被制御手段を制御する制御手段とを備えた設備機器である。
【０００７】
また、本発明は、通信回線と接続された主制御手段と、通信回線と接続される設備機器を備え、設備機器は、通信回線と接続される通信制御手段と、通信制御手段で接続された主制御手段に情報を出力すると共に、主制御手段から入力された外部制御情報に基づき被制御手段を制御する制御手段とを備えた設備機器管理システムである。
【発明の効果】
【０００８】
本発明によれば、設備機器と設備機器管理システムを接続して、設備機器から設備機器管理システムあるいは設備機器管理システムに接続された外部の装置に情報を出力することができる。また、設備機器管理システムあるいは設備機器管理システムに接続された外部の装置から設備機器に情報を出力することができる。
【図面の簡単な説明】
【０００９】
【図１】本実施の形態の設備機器の一例を示す浴室暖房換気乾燥装置の機能ブロック図である。
【図２】本実施の形態の設備機器管理システムの一例を示す構成図である。
【図３】操作部の一例を示す正面図である。
【図４】外部端末装置の画面表示例を示す正面図である。
【図５】浴室暖房換気乾燥装置の管理情報を登録する動作の一例を示すフローチャートである。
【図６】外部端末装置での表示例を示す説明図である。
【図７】浴室暖房換気乾燥装置の管理情報を登録する動作の他の例を示すフローチャートである。
【図８】外部端末装置での表示例を示す説明図である。
【図９】浴室暖房換気乾燥装置の点検時期を通知する動作の一例を示すフローチャートである。
【図１０】外部端末装置での表示例を示す説明図である。
【図１１】浴室暖房換気乾燥装置の運転情報に基づく動作の一例を示すフローチャートである。
【図１２】操作部での操作で運転が実行されていることを外部端末装置で通知する動作の一例を示すフローチャートである。
【図１３】操作部での出力例を示す説明図である。
【図１４】外部端末装置での表示例を示す説明図である。
【図１５】外部端末装置での操作で運転が実行されていることを操作部で通知する動作の一例を示すフローチャートである。
【図１６】外部端末装置での表示例を示す説明図である。
【図１７】操作部での出力例を示す説明図である。
【図１８】操作設定情報に基づく動作の一例を示すフローチャートである。
【図１９】操作設定情報に基づく動作の他の例を示すフローチャートである。
【図２０】操作設定情報に基づく動作の他の例を示すフローチャートである。
【図２１】外因による運転停止後の動作の一例を示すフローチャートである。
【図２２】外部端末装置での表示例を示す説明図である。
【図２３】操作部での出力例を示す説明図である。
【図２４】浴室暖房換気乾燥装置と他機器を連動させた動作の一例を示すフローチャートである。
【図２５】外部端末装置での操作設定情報に基づく動作の一例を示すフローチャートである。
【図２６】通信制御部の着脱に基づく動作の一例を示すフローチャートである。
【図２７】通信制御部の着脱に基づく動作の一例を示すフローチャートである。
【発明を実施するための形態】
【００１０】
以下、図面を参照して、本発明の設備機器及び設備機器管理システムの実施の形態について説明する。
【００１１】
＜本実施の形態の設備機器及び設備機器管理システムの構成例＞
図１は、本実施の形態の設備機器の一例を示す浴室暖房換気乾燥装置の機能ブロック図、図２は、本実施の形態の設備機器管理システムの一例を示す構成図である。
【００１２】
本実施の形態の設備機器としての浴室暖房換気乾燥装置１は、ホームエネルギーマネージメントシステム（ＨＥＭＳ）と称される設備機器管理システム１００に接続されて使用される。
【００１３】
設備機器管理システム１００は、住宅２００に宅内ネットワーク１０１が構成される。設備機器管理システム１００は、ホームゲートウエイと称される主制御機器１０２が住宅２００に設置され、主制御機器１０２が宅内ネットワーク１０１に接続される。
【００１４】
また、設備機器管理システム１００は、主制御機器１０２で取得、生成された情報等、各種情報が表示される表示機器１０３が住宅２００に設置され、表示機器１０３が宅内ネットワーク１０１に接続される。
【００１５】
本実施の形態の浴室暖房換気乾燥装置１は、宅内ネットワーク１０１に接続されることで、設備機器管理システム１００に組み込まれ、宅内ネットワーク１０１に接続された主制御機器１０２との通信機能を備える。
【００１６】
設備機器管理システム１００は、浴室暖房換気乾燥装置１の他の設備機器として、例えば、床暖房装置、熱交換型換気装置等の換気装置等が、宅内ネットワーク１０１に接続される。更に、設備機器としては、エアコンディショナー、洗濯機等の家電機器２、太陽光発電装置等のエネルギー機器３等が宅内ネットワーク１０１に接続され、各設備機器が、宅内ネットワーク１０１に接続された主制御機器１０２との通信機能を備える。
【００１７】
設備機器管理システム１００は、公衆回線網等の外部ネットワーク１０４と接続される。設備機器管理システム１００は、宅内ネットワーク１０１に接続される主制御機器１０２、浴室暖房換気乾燥装置１、家電機器２及びエネルギー機器３等が、外部ネットワーク１０４に接続されるスマートフォン等の外部端末装置１０５、サーバ等の外部システム１０６等との通信機能を備える。
【００１８】
設備機器管理システム１００は、外部端末装置１０５を設備機器管理システム１００に接続して使用するアプリケーションが外部端末装置１０５にインストールされる。
【００１９】
設備機器管理システム１００は、浴室暖房換気乾燥装置１等の設備機器の運転に関連する運転情報が主制御機器１０２に入力され、浴室暖房換気乾燥装置１等の運転情報が主制御機器１０２から外部端末装置１０５に出力される。設備機器管理システム１００は、設備機器の運転情報として、例えば浴室暖房換気乾燥装置１では、実行中の運転モード、運転モードにおける風量の設定、消費電力等の情報が、主制御機器１０２から外部端末装置１０５に出力される。
【００２０】
そして、設備機器管理システム１００は、浴室暖房換気乾燥装置１等の運転情報が、外部端末装置１０５にインストールされたアプリケーションにより、外部端末装置１０５で例えば目視可能な情報として出力される。
【００２１】
また、設備機器管理システム１００は、外部端末装置１０５に設けられた近接無線通信機能等を利用して、浴室暖房換気乾燥装置１等の運転情報が浴室暖房換気乾燥装置１等から外部端末装置１０５に出力され、浴室暖房換気乾燥装置１等の運転情報が外部端末装置１０５で目視可能な情報として出力される。
【００２２】
設備機器管理システム１００は、外部端末装置１０５にインストールされたアプリケーションにより、浴室暖房換気乾燥装置１、家電機器２及びエネルギー機器３等の設備機器の所定の操作が、外部端末装置１０５で行われる。
【００２３】
すなわち、設備機器管理システム１００は、浴室暖房換気乾燥装置１等を操作する外部制御情報が外部端末装置１０５から主制御機器１０２に入力され、浴室暖房換気乾燥装置１等を操作する外部制御情報が主制御機器１０２から浴室暖房換気乾燥装置１等に入力される。
【００２４】
また、設備機器管理システム１００は、外部端末装置１０５から外部制御情報が入力されたことを通知する通知情報が、主制御機器１０２から操作対象とされた浴室暖房換気乾燥装置１等に出力される。
【００２５】
更に、設備機器管理システム１００は、外部端末装置１０５から入力された外部制御情報による操作に関連した操作設定情報が、外部端末装置１０５での操作対象とされた浴室暖房換気乾燥装置１等で設定される。設備機器管理システム１００は、設備機器の操作設定情報として、例えば浴室暖房換気乾燥装置１では、外部端末装置１０５から入力された外部制御情報による浴室暖房換気乾燥装置１の操作を制限する設定、すなわち、操作を有効とするか無効とするか、操作の優先順位等が設定される。
【００２６】
設備機器管理システム１００は、設置された浴室暖房換気乾燥装置１等の保守、管理を行う機器メーカのサーバ等の外部システム１０６に接続される。設備機器管理システム１００は、浴室暖房換気乾燥装置１等の保守、管理に必要な管理情報が主制御機器１０２に入力され、浴室暖房換気乾燥装置１等の管理情報が主制御機器１０２から外部システム１０６に出力される。
【００２７】
また、浴室暖房換気乾燥装置１等の運転に伴う運転管理情報が主制御機器１０２から外部システム１０６に出力される。設備機器管理システム１００は、浴室暖房換気乾燥装置１等の設備機器から入力された管理情報及び運転管理情報が外部システム１０６で保存され、浴室暖房換気乾燥装置１等で保守、管理に利用される機器管理情報が、外部システム１０６から浴室暖房換気乾燥装置１に出力される。
【００２８】
設備機器管理システム１００は、設備機器の管理情報として、例えば浴室暖房換気乾燥装置１では、浴室暖房換気乾燥装置１を特定する機器情報、浴室暖房換気乾燥装置１の使用者情報等が、所定の操作で外部システム１０６に出力される。
【００２９】
また、設備機器管理システム１００は、設備機器の運転管理情報として、例えば浴室暖房換気乾燥装置１では、浴室暖房換気乾燥装置１の電源投入時等の所定の起算日、起算日からの運用時間、運用時間に伴う点検時期等が外部システム１０６に出力される。更に、設備機器管理システム１００は、設備機器の機器管理情報として、設備機器の運用時間の累積値、運用時間に伴う点検時期、障害情報等が設備機器に出力される。
【００３０】
次に、本実施の形態の浴室暖房換気乾燥装置１の機能について説明する。本実施の形態の浴室暖房換気乾燥装置１は、宅内ネットワーク１０１及び宅内ネットワーク１０１を介して外部ネットワーク１０４と接続される通信制御部１０を備え、設備機器管理システム１００に接続されて使用される。
【００３１】
浴室暖房換気乾燥装置１は、住宅２００の浴室２０１に設置され、浴室２０１及び他室の換気、浴室２０１の暖房、浴室２０１内にある被乾燥物の乾燥等を行う機能を備える。
【００３２】
浴室暖房換気乾燥装置１は、上述した機能を実現するため、本例では、浴室２０１の空気を吸い込んで、屋外に排気する換気ファン１１と、浴室２０１から空気を吸い込み、浴室２０１から吸い込んだ空気を循環させて浴室２０１に吹き出す循環ファン１２と、循環ファン１２で吹き出される空気を加熱するヒータ１３を備える。
【００３３】
また、浴室暖房換気乾燥装置１は、運転モードの選択、運転の停止等の利用者の操作を受け、利用者の操作に基づく制御情報を出力する操作部１４と、浴室２０１に関連した所定の状態を検出し、浴室２０１に関連した関連情報を出力するセンサ１５を備える。
【００３４】
更に、浴室暖房換気乾燥装置１は、操作部１４から入力された制御情報及びセンサ１５から入力された関連情報に基づき、換気ファン１１、循環ファン１２及びヒータ１３等を制御する制御部１６を備える。
【００３５】
通信制御部１０は、設備機器管理システム１００を構成する宅内ネットワーク１０１に接続された浴室暖房換気乾燥装置１と主制御機器１０２との通信機能、浴室暖房換気乾燥装置１と、外部ネットワーク１０４に接続された外部端末装置１０５及び外部システム１０６との通信機能を実現する通信手段の一例である。
【００３６】
通信制御部１０は、浴室暖房換気乾燥装置１から主制御機器１０２へ、浴室暖房換気乾燥装置１の運転情報、管理情報及び運転管理情報等の各種情報の出力、主制御機器１０２から浴室暖房換気乾燥装置１への外部制御情報、通知情報等の各種情報の入力が行われる。
【００３７】
また、通信制御部１０は、宅内ネットワーク１０１と外部ネットワーク１０４が接続されることで、浴室暖房換気乾燥装置１から外部端末装置１０５あるいは外部システム１０６等の外部機器へ、浴室暖房換気乾燥装置１の運転情報、管理情報及び運転管理情報等の各種情報の出力、外部端末装置１０５あるいは外部システム１０６等の外部機器から浴室暖房換気乾燥装置１への外部制御情報、通知情報等の各種情報の入力が行われる。ここで、通信制御部１０は、浴室暖房換気乾燥装置１に予め実装されている装置であっても良いし、浴室暖房換気乾燥装置１とは独立した装置を、着脱可能に設ける構成としても良い。
【００３８】
換気ファン１１、循環ファン１２及びヒータ１３は、制御部１６に制御される被制御手段の一例で、換気ファン１１及び循環ファン１２は、図示しない羽根車を回転させるモータの駆動の有無、回転数等が制御される。また、ヒータ１３は、駆動の有無、出力等が制御される。
【００３９】
操作部１４は操作手段の一例で、専用線を介して浴室暖房換気乾燥装置１と接続され、浴室２０１への入口となる洗面脱衣所等、浴室暖房換気乾燥装置１の設置場所の近傍に設置される。
【００４０】
センサ１５は検出手段の一例で、浴室２０１に関連した関連情報として、例えば、浴室暖房換気乾燥装置１に吸い込まれる空気の温度から、浴室２０１の温度を検出する温度検出センサを備える。センサ１５としては、浴室２０１内に人が居るか否か、浴室２０１内での人の動きを検出するため、浴室２０１内での人の動きを検出する人感センサを備えても良い。また、浴室２０１の照明スイッチの状態を検出するセンサを備えても良い。
【００４１】
制御部１６は制御手段の一例で、操作部１４での操作で選択された運転モードで運転を実行する制御情報、運転を停止させる制御情報、運転モードにおける設定を変更する制御情報等に基づき、換気ファン１１、循環ファン１２及びヒータ１３を制御する。
【００４２】
制御部１６は、予め設定された所定のプログラムに従って実行される運転モードとして、換気ファン１１を駆動することで、所定の換気風量で常時の換気運転を行う２４時間換気運転モードを備える。
【００４３】
また、制御部１６は、循環ファン１２とヒータ１３を駆動することで、浴室２０１に温風を吹き出す暖房運転を行う暖房運転モードと、換気ファン１１を駆動することで、２４時間換気運転モードでの換気風量より多い所定の換気風量で主に浴室２０１の換気運転を行う換気運転モードを備える。
【００４４】
更に、制御部１６は、循環ファン１２とヒータ１３と換気ファン１１を駆動して、浴室２０１内の換気動作を行いながら、浴室内に温風を吹き出して乾燥運転を行う乾燥運転モードと、循環ファン１２を駆動して、浴室２０１内に浴室２０１の温度に応じて風を吹き出す涼風運転を行う涼風運転モードを備える。
【００４５】
また、制御部１６は、宅内ネットワーク１０１で接続された通信制御部１０と主制御機器１０２との間で情報が入出力されることで、浴室暖房換気乾燥装置１で実行中の運転モードの種別、風量等、浴室暖房換気乾燥装置１の各種状態を示す運転情報、浴室暖房換気乾燥装置１の管理情報あるいは運転管理情報等を主制御機器１０２に出力する。
【００４６】
すなわち、制御部１６は、主制御機器１０２からの要求に基づき、浴室暖房換気乾燥装置１の運転情報、管理情報あるいは運転管理情報等を主制御機器１０２に出力する。また、制御部１６は、操作部１４での操作に基づき、浴室暖房換気乾燥装置１の運転情報、管理情報あるいは運転管理情報等を主制御機器１０２に出力する。
【００４７】
更に、制御部１６は、宅内ネットワーク１０１で接続された通信制御部１０と主制御機器１０２との間で情報が入出力されることで、浴室暖房換気乾燥装置１の運転情報、管理情報あるいは運転管理情報等を、外部端末装置１０５あるいは外部システム１０６等の外部機器に出力する。
【００４８】
すなわち、制御部１６は、外部ネットワーク１０４から宅内ネットワーク１０１に接続された外部端末装置１０５あるいは外部システム１０６からの要求に基づき、浴室暖房換気乾燥装置１の運転情報、管理情報あるいは運転管理情報等を、外部端末装置１０５あるいは外部システム１０６に出力する。
【００４９】
また、制御部１６は、操作部１４での操作に基づき、浴室暖房換気乾燥装置１の運転情報、管理情報あるいは運転管理情報等を、外部端末装置１０５あるいは外部システム１０６に出力する。
【００５０】
制御部１６は、宅内ネットワーク１０１で接続された通信制御部１０と主制御機器１０２との間で情報が入出力されることで、主制御機器１０２、外部端末装置１０５あるいは外部システム１０６等の外部機器からの要求に基づき、浴室暖房換気乾燥装置１を制御する制御情報、浴室暖房換気乾燥装置１への通知情報が入力される。
【００５１】
また、制御部１６は、主制御機器１０２、外部端末装置１０５あるいは外部システム１０６等の外部機器から入力された外部制御情報による操作に関連した操作設定情報が設定される。
【００５２】
制御部１６は、操作部１４から入力された制御情報、及び、外部端末装置１０５等から入力された外部制御情報による浴室暖房換気乾燥装置１の操作の制限として、操作を有効とするか無効とするかを、操作設定情報に基づき判断する。また、制御部１６は、外部端末装置１０５等から入力された外部制御情報による浴室暖房換気乾燥装置１の操作と、操作部１４から入力された制御情報による浴室暖房換気乾燥装置１の操作のどちらを優先するかを、操作設定情報に基づき判断する。
【００５３】
更に、制御部１６は、外部端末装置１０５から外部制御情報が入力されたことを通知する通知情報が入力されると、操作部１４等で通知情報を出力する。また、制御部１６は、操作部１４から制御情報が入力されたことを通知する通知情報が入力されると、主制御機器１０２に通知情報を出力して、外部端末装置１０５で通知情報を出力させる。
【００５４】
＜操作部の構成例＞
図３は、操作部の一例を示す正面図である。操作部１４は、運転モードを選択する運転モード選択ボタン１４ａと、運転を停止する停止ボタン１４ｂと、運転時間を設定する運転時間設定ボタン１４ｃを備える。
【００５５】
また、操作部１４は、運転モード選択ボタン１４ａで選択された運転モード、及び、各運転モードでの設定等を目視可能に出力する運転状態ランプ１４ｄを備える。更に、操作部１４は、外部端末装置１０５から外部制御情報が入力されたことを通知する外部運転通知ランプ１４ｅを備える。
【００５６】
操作部１４は、運転モード選択ボタン１４ａが押されると、選択された運転モードに対応する運転状態ランプ１４ｄが点灯する。また、選択された運転モードに対応する制御情報が制御部１６に出力される。操作部１４は、制御部１６に外部端末装置１０５から外部制御情報が入力されたことを通知する通知情報が入力されると、外部運転通知ランプ１４ｅが点灯する。
【００５７】
＜外部端末装置の構成例＞
図４は、外部端末装置の画面表示例を示す正面図である。外部端末装置１０５は、タッチパネル等と称される入力装置を有した表示部１０５ａを備え、浴室暖房換気乾燥装置１を操作する運転モード選択画面１０５ｂとして、運転モードを選択する運転モード選択ボタン１０５ｃが表示される。外部端末装置１０５は、運転モード選択ボタン１０５ｃの部位に触れられると、選択された運転モードに対応する外部制御情報が出力される。
【００５８】
＜本実施の形態の設備機器及び設備機器管理システムの動作例＞
図５は、浴室暖房換気乾燥装置の管理情報を登録する動作の一例を示すフローチャート、図６は、外部端末装置での表示例を示す説明図で、次に、各図を参照して、浴室暖房換気乾燥装置１の管理情報を設備機器管理システム１００、あるいは、設備機器管理システム１００に接続された外部の機器で登録する動作について説明する。
【００５９】
図５のステップＳＡ１で、浴室暖房換気乾燥装置１の制御部１６は、通信制御部１０が宅内ネットワーク１０１に接続されて、浴室暖房換気乾燥装置１が設備機器管理システム１００に接続されると、図５のステップＳＡ２で、浴室暖房換気乾燥装置１に保存されている管理情報を、設備機器管理システム１００に出力する。
【００６０】
例えば、浴室暖房換気乾燥装置１の制御部１６は、浴室暖房換気乾燥装置１が設備機器管理システム１００に接続されたことを示す通知情報が通信制御部１０から入力され、浴室暖房換気乾燥装置１が設備機器管理システム１００に接続されたと判断すると、管理情報を設備機器管理システム１００に出力する。
【００６１】
また、浴室暖房換気乾燥装置１の制御部１６は、浴室暖房換気乾燥装置１が設備機器管理システム１００に接続され、操作部１４で所定の操作が行われると、管理情報を設備機器管理システム１００に出力する。
【００６２】
更に、浴室暖房換気乾燥装置１の制御部１６は、浴室暖房換気乾燥装置１が設備機器管理システム１００に接続され、外部端末装置１０５で所定の操作が行われると、管理情報を設備機器管理システム１００に出力する。
【００６３】
外部端末装置１０５の操作で浴室暖房換気乾燥装置１から管理情報を出力するため、浴室暖房換気乾燥装置１の制御部１６は、浴室暖房換気乾燥装置１が設備機器管理システム１００に接続されたことを示す通知情報を設備機器管理システム１００に出力する。また、浴室暖房換気乾燥装置１に保存されている管理情報を設備機器管理システム１００に出力する。
【００６４】
設備機器管理システム１００の主制御機器１０２は、浴室暖房換気乾燥装置１が設備機器管理システム１００に接続されたことを示す通知情報と、浴室暖房換気乾燥装置１の管理情報を、宅内ネットワーク１０１から外部ネットワーク１０４に接続された外部端末装置１０５に出力する。
【００６５】
外部端末装置１０５は、浴室暖房換気乾燥装置１が設備機器管理システム１００に接続されたことを示す通知情報と、浴室暖房換気乾燥装置１の管理情報が入力されると、図６に示すように、浴室暖房換気乾燥装置１の管理情報を登録する操作を行う製品登録画面１０５ｄを表示する。
【００６６】
外部端末装置１０５は、使用者が浴室暖房換気乾燥装置１の管理情報を登録することに同意して、製品登録画面１０５ｄで送信ボタン１０５ｅの部位に触れる所定の操作で、浴室暖房換気乾燥装置１の管理情報を登録させる外部制御信号を設備機器管理システム１００に出力する。これにより、浴室暖房換気乾燥装置１は、外部端末装置１０５での所定の操作で、管理情報を設備機器管理システム１００に出力する。
【００６７】
浴室暖房換気乾燥装置１の管理情報が設備機器管理システム１００に出力されると、図５のステップＳＡ３で、設備機器管理システム１００の主制御機器１０２は、浴室暖房換気乾燥装置１の管理情報を自機器に登録する。
【００６８】
また、設備機器管理システム１００が、浴室暖房換気乾燥装置１等の保守、管理を行う機器メーカのサーバ等の外部システム１０６に接続されている構成では、設備機器管理システム１００の主制御機器１０２は、浴室暖房換気乾燥装置１の管理情報を、宅内ネットワーク１０１から外部ネットワーク１０４に接続された外部システム１０６に出力する。
【００６９】
外部システム１０６は、設備機器管理システム１００から入力された浴室暖房換気乾燥装置１の管理情報を図示しないサーバ等に登録し、管理情報に関連するデータベースを作成する。
【００７０】
浴室暖房換気乾燥装置１は、自機器の管理情報として、製品名やシリアルナンバー等、浴室暖房換気乾燥装置１を特定する機器情報が登録されている。
【００７１】
本実施の形態では、浴室暖房換気乾燥装置１の設備機器管理システム１００への接続、操作部１４あるいは外部端末装置１０５での所定の操作等で、浴室暖房換気乾燥装置１の製品名やシリアルナンバー等が設備機器管理システム１００に出力され、設備機器管理システム１００の主制御機器１０２、設備機器管理システム１００に接続された外部システム１０６等で登録することができる。
【００７２】
これにより、住宅２００に設置された浴室暖房換気乾燥装置１を、設備機器管理システム１００、あるいは、設備機器管理システム１００に接続された外部システム１０６で管理することが可能となる。
【００７３】
図７は、浴室暖房換気乾燥装置の管理情報を登録する動作の他の例を示すフローチャート、図８は、外部端末装置での表示例を示す説明図で、次に、各図を参照して、浴室暖房換気乾燥装置１の管理情報と使用者情報を設備機器管理システム１００、あるいは、設備機器管理システム１００に接続された外部の機器で登録する動作について説明する。
【００７４】
図７のステップＳＢ１で、浴室暖房換気乾燥装置１の制御部１６は、浴室暖房換気乾燥装置１が設備機器管理システム１００に接続されることで、通知情報が通信制御部１０から入力され、浴室暖房換気乾燥装置１が設備機器管理システム１００に接続されたと判断する。
【００７５】
設備機器管理システム１００では、設備機器管理システム１００に接続される外部端末装置１０５を利用して、浴室暖房換気乾燥装置１の使用者情報を取得する。このため、浴室暖房換気乾燥装置１の制御部１６は、浴室暖房換気乾燥装置１が設備機器管理システム１００に接続されると、図７のステップＳＢ２で、浴室暖房換気乾燥装置１が設備機器管理システム１００に接続されたことを示す通知情報を設備機器管理システム１００に出力する。また、浴室暖房換気乾燥装置１に保存されている管理情報を、設備機器管理システム１００に出力する。
【００７６】
図７のステップＳＢ３で、設備機器管理システム１００の主制御機器１０２は、浴室暖房換気乾燥装置１が設備機器管理システム１００に接続されたことを示す通知情報と、浴室暖房換気乾燥装置１の管理情報を、宅内ネットワーク１０１から外部ネットワーク１０４に接続された外部端末装置１０５に出力する。
【００７７】
外部端末装置１０５は、浴室暖房換気乾燥装置１が設備機器管理システム１００に接続されたことを示す通知情報と、浴室暖房換気乾燥装置１の管理情報が入力されると、図７のステップＳＢ４で、図８に示すように、浴室暖房換気乾燥装置１の管理情報を登録する操作を行う製品登録画面１０５ｆを表示する。
【００７８】
外部端末装置１０５に表示される製品登録画面１０５ｆは、浴室暖房換気乾燥装置１の製品名やシリアルナンバー等、浴室暖房換気乾燥装置１を特定する機器情報１０５ｇが表示される。また、使用者の氏名、住所、電話番号等の個人情報を使用者情報として入力させると共に、使用者情報の送信に同意するか否かを選択させる選択させる個人情報入力画面１０５ｈが表示される。
【００７９】
外部端末装置１０５は、図７のステップＳＢ５で、個人情報入力画面１０５ｈで個人情報が入力され、図７のステップＳＢ６で、使用者情報の送信に同意して、使用者が製品登録画面１０５ｆで送信ボタン１０５ｉの部位に触れる所定の操作で、浴室暖房換気乾燥装置１の管理情報と、使用者情報を登録させる外部制御信号を設備機器管理システム１００に出力する。
【００８０】
浴室暖房換気乾燥装置１の管理情報と使用者情報が設備機器管理システム１００に出力されると、図７のステップＳＢ７で、設備機器管理システム１００の主制御機器１０２は、浴室暖房換気乾燥装置１の管理情報と使用者情報を自機器に登録する。
【００８１】
また、設備機器管理システム１００が、浴室暖房換気乾燥装置１等の保守、管理を行う機器メーカのサーバ等の外部システム１０６に接続されている構成では、設備機器管理システム１００の主制御機器１０２は、浴室暖房換気乾燥装置１の管理情報及び使用者情報を、宅内ネットワーク１０１から外部ネットワーク１０４に接続された外部システム１０６に出力する。
【００８２】
外部システム１０６は、設備機器管理システム１００から入力された浴室暖房換気乾燥装置１の管理情報と使用者情報を図示しないサーバ等に登録し、管理情報と使用者情報に関連するデータベースを作成する。
【００８３】
外部端末装置１０５は、図７のステップＳＢ６で、使用者情報の送信に同意せず、使用者が製品登録画面１０５ｆで送信ボタン１０５ｉの部位に触れる所定の操作で、使用者情報の取得及び登録は行わず、浴室暖房換気乾燥装置１の管理情報を登録させる外部制御信号を設備機器管理システム１００に出力する。
【００８４】
浴室暖房換気乾燥装置１の管理情報が設備機器管理システム１００に出力されると、図７のステップＳＢ８で、設備機器管理システム１００の主制御機器１０２は、浴室暖房換気乾燥装置１の管理情報を自機器に登録する。
【００８５】
また、設備機器管理システム１００の主制御機器１０２は、浴室暖房換気乾燥装置１の管理情報を、宅内ネットワーク１０１から外部ネットワーク１０４に接続された外部システム１０６に出力する。
【００８６】
外部システム１０６は、設備機器管理システム１００から入力された浴室暖房換気乾燥装置１の管理情報を図示しないサーバ等に登録し、管理情報に関連するデータベースを作成する。
【００８７】
設備機器を購入した際、使用者情報を登録する作業は、使用者の住所、氏名、電話番号等を所定の用紙に記載して郵送、あるいは、機器のホームページから入力することが一般的に行われていた。
【００８８】
このように、使用者情報を登録する作業は、従来、用紙への記入、製品名やシリアルナンバーの確認等、使用者にとって煩わしい作業となっている。
【００８９】
そこで、本実施の形態では、使用者が所有するスマートフォン等の外部端末装置１０５を利用して、使用者情報の入力及び各種情報の登録の操作を行えるようにした。また、使用者情報を登録する際に、設備機器の製品名及びシリアルナンバー等の管理情報は、設備機器に製造時等に予め登録されている情報が、設備機器管理システム１００及び外部端末装置１０５で取得できるようにした。
【００９０】
これにより、設備機器の管理情報を取扱説明書等で確認することなく、設備機器の管理情報及び使用者情報を設備機器管理システム１００の主制御機器１０２、設備機器管理システム１００に接続された外部システム１０６等で登録することができる。
【００９１】
設備機器の管理情報は、電子情報として設備機器に登録されている情報を使用するので、取扱説明書等の紙媒体の必要書類等の紛失時でも登録をすることができる。また、スマートフォン等の使い慣れた外部端末装置１０５で登録作業を行えるので、操作が容易である。
【００９２】
更に、外部端末装置１０５から使用者情報を登録する操作で、使用者情報の登録に同意するか否かを確認させるメッセージあるいは入力手段を持つことで、使用者が同意しなければ、使用者情報の取得及び登録が行われず、使用者が意図せずに個人情報が外部に出力されることを防ぐことができ、個人情報の漏洩を防ぐことができる。
【００９３】
図９は、浴室暖房換気乾燥装置の点検時期を通知する動作の一例を示すフローチャート、図１０は、外部端末装置での表示例を示す説明図で、次に、各図を参照して、浴室暖房換気乾燥装置１の点検時期を通知する動作について説明する。
【００９４】
図９のステップＳＣ１で、浴室暖房換気乾燥装置１の制御部１６は、通信制御部１０が宅内ネットワーク１０１に接続されて、浴室暖房換気乾燥装置１が設備機器管理システム１００に接続されると、図９のステップＳＣ２で、浴室暖房換気乾燥装置１に保存されている運転管理情報を、設備機器管理システム１００に出力する。
【００９５】
設備機器管理システム１００では、管理対象の設備機器の運転管理情報として、浴室暖房換気乾燥装置１であれば、浴室暖房換気乾燥装置１の電源投入時等の所定の起算日が設備機器管理システム１００に出力される。
【００９６】
ここで、浴室暖房換気乾燥装置１の運転管理情報としては、浴室暖房換気乾燥装置１の製造年と製造月の情報が電子情報として保存される。製造年月日の情報は、例えば、製造時あるいは工場出荷時等に保存される。また、浴室暖房換気乾燥装置１の運転管理情報として、浴室暖房換気乾燥装置１の設置後に、施工者等の操作で設定された運転開始基準日が保存されるようにしても良い。
【００９７】
浴室暖房換気乾燥装置１に保存されている運転管理情報を、設備機器管理システム１００に出力するため、例えば、浴室暖房換気乾燥装置１の制御部１６は、浴室暖房換気乾燥装置１が設備機器管理システム１００に接続されたことを示す通知情報が通信制御部１０から入力され、浴室暖房換気乾燥装置１が設備機器管理システム１００に接続されたと判断すると、運転管理情報を設備機器管理システム１００に出力する。
【００９８】
また、浴室暖房換気乾燥装置１の制御部１６は、浴室暖房換気乾燥装置１が設備機器管理システム１００に接続され、操作部１４で所定の操作が行われると、運転管理情報を設備機器管理システム１００に出力する。
【００９９】
更に、浴室暖房換気乾燥装置１の制御部１６は、浴室暖房換気乾燥装置１が設備機器管理システム１００に接続され、外部端末装置１０５で所定の操作が行われると、運転管理情報を設備機器管理システム１００に出力する。
【０１００】
外部端末装置１０５の操作で浴室暖房換気乾燥装置１から運転管理情報を出力するため、浴室暖房換気乾燥装置１の制御部１６は、浴室暖房換気乾燥装置１が設備機器管理システム１００に接続されたことを示す通知情報を設備機器管理システム１００に出力する。また、浴室暖房換気乾燥装置１に保存されている運転管理情報を設備機器管理システム１００に出力する。
【０１０１】
設備機器管理システム１００の主制御機器１０２は、浴室暖房換気乾燥装置１が設備機器管理システム１００に接続されたことを示す通知情報と、浴室暖房換気乾燥装置１の運転管理情報を、宅内ネットワーク１０１から外部ネットワーク１０４に接続された外部端末装置１０５に出力する。
【０１０２】
外部端末装置１０５は、浴室暖房換気乾燥装置１が設備機器管理システム１００に接続されたことを示す通知情報と、浴室暖房換気乾燥装置１の運転管理情報が入力されると、浴室暖房換気乾燥装置１の運転管理情報を登録する操作を行う登録画面を表示する。
【０１０３】
外部端末装置１０５は、施工者あるいは使用者が浴室暖房換気乾燥装置１の運転管理情報を登録する所定の操作で、浴室暖房換気乾燥装置１の運転管理情報を登録させる外部制御信号を設備機器管理システム１００に出力する。これにより、浴室暖房換気乾燥装置１は、外部端末装置１０５での所定の操作で、運転管理情報を設備機器管理システム１００に出力する。
【０１０４】
浴室暖房換気乾燥装置１の運転管理情報が設備機器管理システム１００に出力されると、図９のステップＳＣ３で、設備機器管理システム１００の主制御機器１０２は、浴室暖房換気乾燥装置１の運転管理情報を自機器に登録する。
【０１０５】
また、設備機器管理システム１００が、浴室暖房換気乾燥装置１等の保守、管理を行う機器メーカのサーバ等の外部システム１０６に接続されている構成では、設備機器管理システム１００の主制御機器１０２は、浴室暖房換気乾燥装置１の運転管理情報を、宅内ネットワーク１０１から外部ネットワーク１０４に接続された外部システム１０６に出力する。
【０１０６】
外部システム１０６は、設備機器管理システム１００から入力された浴室暖房換気乾燥装置１の運転管理情報を図示しないサーバ等に登録し、運転管理情報に関連するデータベースを作成する。
【０１０７】
図９のステップＳＣ４で、浴室暖房換気乾燥装置１の制御部１６は、電源投入後、運転管理情報で規定される起算日からの運用時間を計時し、図９のステップＳＣ５で、浴室暖房換気乾燥装置１で計時した運用時間を、運転管理情報として設備機器管理システム１００に出力する。浴室暖房換気乾燥装置１から設備機器管理システム１００への運用時間の出力は、使用者等の操作によらず、例えば、一定時間毎に行われる。あるいは、使用者の操作による運転モードの切り替え、運転タイマの設定等、日常行う操作に伴って、浴室暖房換気乾燥装置１から設備機器管理システム１００への運用時間の出力が行われるようにしても良い。
【０１０８】
浴室暖房換気乾燥装置１の運用時間が設備機器管理システム１００に出力されると、図９のステップＳＣ６で、設備機器管理システム１００の主制御機器１０２は、浴室暖房換気乾燥装置１の運転管理情報の運用時間を更新する。
【０１０９】
また、設備機器管理システム１００の主制御機器１０２は、浴室暖房換気乾燥装置１の運用時間を、宅内ネットワーク１０１から外部ネットワーク１０４に接続された外部システム１０６に出力する。
【０１１０】
外部システム１０６は、設備機器管理システム１００から入力された浴室暖房換気乾燥装置１の運用時間で、浴室暖房換気乾燥装置１の運用管理情報に関連するデータベースを更新する。
【０１１１】
図９のステップＳＣ７で、浴室暖房換気乾燥装置１の制御部１６は、運転管理情報で規定される起算日からの運用時間が、点検時期を通知する所定の運用時間に到達したか判断する。運用時間が点検時期に到達すると、図９のステップＳＣ８で、浴室暖房換気乾燥装置１の制御部１６は、点検時期を通知する点検時期通知情報を設備機器管理システム１００に出力する。
【０１１２】
図９のステップＳＣ９で、設備機器管理システム１００の主制御機器１０２は、浴室暖房換気乾燥装置１の点検通知情報を表示機器１０３で表示する。また、主制御機器１０２は、浴室暖房換気乾燥装置１の点検通知情報を、宅内ネットワーク１０１から外部ネットワーク１０４に接続された外部端末装置１０５及び外部システム１０６に出力する。
【０１１３】
外部端末装置１０５は、浴室暖房換気乾燥装置１の点検通知情報が入力されると、図１０に示すように、浴室暖房換気乾燥装置１が点検時期になったことを通知する点検時期通知画面１０５ｊを表示する。
【０１１４】
また、外部システム１０６は、浴室暖房換気乾燥装置１の点検通知情報が入力されると、図示しない表示装置に、浴室暖房換気乾燥装置１が点検時期になったことを通知する点検時期通知画面を表示する。
【０１１５】
浴室暖房換気乾燥装置１等の設備機器では、長期間に伴う部品の劣化等を考慮して、例えば、一定期間で保守点検を行う必要がある。設備機器が点検時期になったことの通知は、例えば、機器メーカからの書類の郵送、あるいは操作部でのランプの点灯等で行っていた。このため、書類の紛失等で点検時期が正確に伝わない可能性がある。また、操作部でのランプの点灯等では、使用者が見逃す可能性、点検時期であることを認識できない可能性がある。
【０１１６】
そこで、本実施の形態では、使用者が所有するスマートフォン等の外部端末装置１０５を利用して、浴室暖房換気乾燥装置１等の設備機器が点検時期であることの通知を行えるようにした。このように、日常的に携帯されることが多く、使い慣れたスマートフォン等の外部端末装置１０５で、設備機器の点検時期であることの通知が行えるので、点検時期であることを容易に認識できる。
【０１１７】
また、設備機器管理システム１００の表示機器１０３は、表示できる情報量が多いので、設備機器管理システム１００の表示機器１０３で設備機器が点検時期であることの表示を文言、イラスト等で行えば、使用者の確認が容易となる。
【０１１８】
ここで、設備機器の点検時期の判断は、電源投入後からの運用時間で判断したが、運転モードの実行回数、実行時間等で判断しても良い。また、ヒータ１３の通電時間等、部品単位で点検時期を判断して通知するようにしても良い。
【０１１９】
更に、点検時期の判断を、設備機器管理システム１００が行ってもよい。すなわち、設備機器管理システム１００の主制御機器１０２は、浴室暖房換気乾燥装置１から入力された運転管理情報で規定される起算日からの浴室暖房換気乾燥装置１の運用時間を計時し、運用時間が点検時期に到達すると、点検時期通知情報を外部端末装置１０５に出力する。
【０１２０】
また、設備機器管理システム１００の主制御機器１０２は、浴室暖房換気乾燥装置１の運転情報が入力され、浴室暖房換気乾燥装置１の運転情報に基づいて、各運転モードでの運用時間等を管理し、点検時期の判断を行う。
【０１２１】
点検時期の判断を、浴室暖房換気乾燥装置１等の設備機器で行う場合、点検時期の判断で必要な運用時間等の各種運転管理情報、運転情報を設備機器で保持する必要がある。
【０１２２】
これに対し、点検時期の判断を設備機器管理システム１００で行うことで、設備機器は、点検時期の判断で必要な情報の保持が不要で、停電時等に点検時期の判断で必要な情報の喪失を防ぐバックアップ手段も不要となり、構成の簡略化が可能となる。
【０１２３】
図１１は、浴室暖房換気乾燥装置の運転情報に基づく動作の一例を示すフローチャートで、次に、各図を参照して、浴室暖房換気乾燥装置１の運転情報に基づく動作について説明する。
【０１２４】
図１１のステップＳＤ１で、浴室暖房換気乾燥装置１の制御部１６は、浴室暖房換気乾燥装置１の各種状態を示す運転情報を、設備機器管理システム１００に出力する。
【０１２５】
浴室暖房換気乾燥装置１では、実行中の運転モードの種別、風量等が運転情報として出力される。センサ１５として温度検出センサを備えた構成では、浴室２０１内の温度が運転情報として出力され、湿度検出センサを備えた構成では、浴室２０１の湿度が運転情報として出力される。また、人感センサを備えた構成では、浴室２０１内での人の有無、人の動き等が運転情報として出力される。更に、風量センサを備えた構成では、換気ファン１１及び循環ファン１２での風量が運転情報として出力される。また、各センサの出力等から検出したエラー情報が運転情報として出力される。
【０１２６】
浴室暖房換気乾燥装置１の運転情報が設備機器管理システム１００に出力されると、図１１のステップＳＤ２で、設備機器管理システム１００の主制御機器１０２は、浴室暖房換気乾燥装置１の運転情報に基づく外部制御情報、通知情報を浴室暖房換気乾燥装置１に出力する。また、浴室暖房換気乾燥装置１の運転情報、運転情報に基づく通知情報を外部端末装置１０５に出力する。
【０１２７】
浴室暖房換気乾燥装置１等の設備機器では、設備機器の状態の通知を、操作部でのランプの点灯等で行うと、使用者が見逃す可能性、内容を理解できない可能性がある。
【０１２８】
そこで、本実施の形態では、使用者が所有するスマートフォン等の外部端末装置１０５を利用して、設備機器の状態の通知を行えるようにした。このように、日常的に携帯されることが多く、使い慣れたスマートフォン等の外部端末装置１０５で、設備機器の状態の通知が行えるので、設備機器の状態を容易に認識できる。
【０１２９】
例えば、浴室暖房換気乾燥装置１等の設備機器では、風量センサ等を備えることで、図示しないフィルタの目詰まり、フィルタ等の清掃時期等を判断できる。しかし、フィルタ等の清掃時期の通知を、操作部でのランプの点灯等で行うと、使用者が見逃す可能性、内容を理解できない可能性がある。清掃時期であることが認識できないと、清掃、交換で必要な部材の購入ができず、必要な処置が行えない可能性がある。
【０１３０】
そこで、本実施の形態では、使用者が所有するスマートフォン等の外部端末装置１０５を利用して、清掃時期であることの通知を行えるようにした。このように、日常的に携帯されることが多く、使い慣れたスマートフォン等の外部端末装置１０５で、設備機器の清掃時期であることの通知が行えるので、清掃時期であることを容易に認識できる。清掃時期であることが認識できれば、清掃、交換で必要な部材の購入ができる。また、スマートフォン等を利用して通知することで、外出先等でも確認が可能となり、清掃、交換で必要な部材の購入が容易に行える。
【０１３１】
また、浴室暖房換気乾燥装置１等の設備機器では、各センサの出力等から、エラーの発生を判断できる。しかし、エラー発生の通知を、操作部でのランプの点灯等で行うと、使用者が見逃す可能性、使用者が操作部の近くに居ないと、エラーの発生に気付かない可能性がある。また、通知の内容を理解できない可能性、通知の内容が理解できても、エラーコードの通知のみで、対処方法がその場で判らない可能性がある。
【０１３２】
そこで、本実施の形態では、使用者が所有するスマートフォン等の外部端末装置１０５を利用して、エラーが発生したことの通知を行えるようにした。また、外部端末装置１０５は、表示できる情報量が多いことから、エラーの対処方法の通知を行えるようにした。更に、機器メーカのサイトから、対処方法のダウンロード、修理依頼を行える画面を表示しても良い。
【０１３３】
このように、日常的に携帯されることが多く、使い慣れたスマートフォン等の外部端末装置１０５で、エラーが発生したこと、エラーの対処方法の通知が行えるので、エラーが発生したこと及びその対処方法を容易に認識できる。エラーが発生したこと及びその対処方法を認識できれば、早急かつ適切な対応が可能となる。
【０１３４】
更に、浴室暖房換気乾燥装置１では、浴室２０１で使用者の具合が悪くなった等の事態が発生した場合、人感センサの出力、カメラ画像の画像認識、操作部１４での操作等から異常を判断し、外部端末装置１０５あるいは外部システム１０６に通知を行えるようにした。
【０１３５】
浴室２０１での異常の発生を、入浴者以外の使用者が所有する外部端末装置１０５、機器メーカや警備会社の外部システム１０６に通知することで、緊急を要するような事態に迅速に対応できる。また、通知情報の出力先を、上述したように、入浴者以外の使用者が所有する外部端末装置１０５、機器メーカや警備会社の外部システム１０６等の複数箇所に設定することで、浴室２０１で異常が発生した場合、確実に通知を行うことができる。
【０１３６】
本実施の形態では、設備機器管理システム１００に接続された浴室暖房換気乾燥装置１等の設備機器が、設備機器管理システム１００に接続された主制御機器１０２、外部端末装置１０５あるいは外部システム１０６に、設備機器の運転情報等を出力することで、設備機器の運転情報を外部端末装置１０５等で通知できるようにした。
【０１３７】
また、主制御機器１０２、外部端末装置１０５あるいは外部システム１０６から、設備機器に外部制御信号が出力して、設備機器の操作を行えるようにした。更に、外部端末装置１０５等の操作で、設備機器で取得した情報を設備機器管理システム１００に出力できるようにした。
【０１３８】
例えば、浴室暖房換気乾燥装置１では、センサ１５として温度検出センサを備えることで、浴室２０１内の温度が運転情報として出力され、湿度検出センサを備えることで、浴室２０１の湿度が運転情報として出力される。
【０１３９】
浴室暖房換気乾燥装置１で検出された浴室２０１の温度、湿度の情報を、主制御機器１０２、外部端末装置１０５あるいは外部システム１０６に出力することで、設備機器管理システム１００で浴室２０１の温度、湿度が取得できる。
【０１４０】
これにより、浴室暖房換気乾燥装置１で乾燥運転モードが実行されると、衣類等の被乾燥物の乾燥の度合い、被乾燥物の乾燥完了予測時間等を主制御機器１０２等で算出し、表示機器１０３、外部端末装置１０５等で表示して、使用者に通知できる。
【０１４１】
また、換気運転モードでは、浴室２０１内の湿度に基づく換気風量の制御、暖房運転モードでは、浴室２０１内の温度に基づくヒータ１３の出力や運転時間の制御が可能である。更に、過去の電気料金の算出、外部端末装置１０５での表示、こらからの電気料金の予測、外部端末装置１０５での表示を行うことで、使用者が電気料金の予測等に基づいて、運転モードの選択、運転時間の選択等の運転の調整を行うことができる。
【０１４２】
また、設備機器管理システム１００に接続されたエアコンディショナー、床暖房装置等の他の設備機器からの居室内温度情報や床温度情報を取得し、これらの温度情報に基づいて浴室２０１内に吸い込まれる空気の温度を予測し、乾燥運転モード、換気運転モード、及び暖房運転モードの運転時間の予測に用いることができる。なお、各種情報に基づく予測時間等の算出は、主制御機器１０２等の設備機器管理システム１００で行ってもよいし、浴室暖房換気乾燥装置１等の設備機器の制御部で行っても良い。
【０１４３】
浴室暖房換気乾燥装置１等の設備機器の運転情報として、例えば、実行中の運転モード、予約中の運転モード等の情報を設備機器から設備機器管理システム１００に出力し、外部端末装置１０５等で表示することで、設備機器が運転されているか否か、運転を開始する時間等の運転情報を、専用の操作部１４に加えて、外部端末装置１０５で確認できる。
【０１４４】
これにより、日常的に携帯されることが多く、使い慣れたスマートフォン等の外部端末装置１０５で、設備機器が運転されているか否か、運転を開始する時間等の運転情報の確認を行うことができる。例えば、外出先でも、所望の運転の予約が行えているか否かの確認が行え、確認のために自宅に戻るといった手間を解消することができる。
【０１４５】
また、浴室暖房換気乾燥装置１等の設備機器の操作を、専用の操作部１４に加えて、外部端末装置１０５で行えるようにすることで、例えば、浴室暖房換気乾燥装置１であれば、外出先での天気の急変に応じた衣類乾燥時間や換気時間の変更、帰宅時間の変更に伴う暖房運転予約時刻の変更、運転停止等、使用者の生活状態に応じて、外出先等でも自由に機器の運転状態を変更でき、利便性が向上する。
【０１４６】
図１２は、操作部での操作で運転が実行されていることを外部端末装置で通知する動作の一例を示すフローチャート、図１３は、操作部での出力例を示す説明図、図１４は、外部端末装置での表示例を示す説明図であり、次に、各図を参照して、操作部１４での操作で浴室暖房換気乾燥装置１の運転が実行されていることを外部端末装置１０５で通知する動作について説明する。
【０１４７】
図１２のステップＳＥ１で、操作部１４で所望の運転モード選択ボタン１４ａが押されて運転モードが選択されると、図１３に示すように、選択された運転モードに対応する運転状態ランプ１４ｄが点灯する。
【０１４８】
また、選択された運転モードに対応する制御情報が制御部１６に出力され、図１２のステップＳＥ２で、選択された運転モードで浴室暖房換気乾燥装置１の運転が実行される。
【０１４９】
更に、操作部１４での操作で選択された運転モードで浴室暖房換気乾燥装置１の運転が実行されていることを通知する通知情報が、宅内ネットワーク１０１で接続された主制御機器１０２に出力され、図１２のステップＳＥ３で、宅内ネットワーク１０１から外部ネットワーク１０４に接続された外部端末装置１０５に通知情報が出力される。
【０１５０】
外部端末装置１０５は、通知情報が入力されると、図１２のステップＳＥ４で、図１４に示すように、操作部１４での操作で浴室暖房換気乾燥装置１の運転が実行されていることを通知する通知情報１０５ｋを表示する。
【０１５１】
住宅２００に居る人が操作部１４を操作して浴室暖房換気乾燥装置１を使用しているときに、外部端末装置１０５を所有する人が外出先等から浴室暖房換気乾燥装置１の操作を行えるようにすると、在宅の人が浴室暖房換気乾燥装置１を使用中であるにも関わらず、意図しない運転に切り替わる可能性がある。
【０１５２】
そこで、本実施の形態では、操作部１４の操作で浴室暖房換気乾燥装置１の運転が行われていることを、外部端末装置１０５で通知情報１０５ｋを表示して通知することで、外出先等から外部端末装置１０５で浴室暖房換気乾燥装置１の使用状況を確認することができ、浴室暖房換気乾燥装置１の使用状況を確認した上で、操作が可能になる。
【０１５３】
ここで、外部端末装置１０５からの操作を行う場合は、パスコード等の認証情報の入力を外部端末装置１０５で要求することで、認証情報を知らない人の操作を防ぐ。
【０１５４】
図１５は、外部端末装置での操作で運転が実行されていることを操作部で通知する動作の一例を示すフローチャート、図１６は、外部端末装置での表示例を示す説明図、図１７は、操作部での出力例を示す説明図であり、次に、各図を参照して、外部端末装置１０５での操作で浴室暖房換気乾燥装置１の運転が実行されていることを操作部１４で通知する動作について説明する。
【０１５５】
図１５のステップＳＦ１で、図１６に示す外部端末装置１０５で所望の運転モード選択ボタン１０５ｃに触れられて運転モードが選択されると、選択された運転モードに対応する外部制御情報が、図１５のステップＳＦ２で、外部ネットワーク１０４から宅内ネットワーク１０１に接続された主制御機器１０２に出力される。
【０１５６】
そして、外部端末装置１０５から出力された外部制御情報は、主制御機器１０２から浴室暖房換気乾燥装置１に出力される。また、外部端末装置１０５から外部制御情報が入力されたことを通知する通知情報が、主制御機器１０２から浴室暖房換気乾燥装置１に出力される。
【０１５７】
浴室暖房換気乾燥装置１では、図１５のステップＳＦ３で、外部端末装置１０５から入力された外部制御情報に基づき、外部端末装置１０５で選択された運転モードで運転が実行される。
【０１５８】
また、浴室暖房換気乾燥装置１では、図１５のステップＳＦ４で、主制御機器１０２から入力された通知情報に基づき、図１７に示すように、操作部１４の外部運転通知ランプ１４ｅが点灯する。
【０１５９】
外部端末装置１０５を所有する人が外出先等から浴室暖房換気乾燥装置１の操作を行って浴室暖房換気乾燥装置１の運転を行わせているときに、住宅２００に居る人が操作部１４を操作して浴室暖房換気乾燥装置１を使用できるようにすると、外出先等から運転を行ったにも関わらず、意図しない運転に切り替わる可能性がある。
【０１６０】
そこで、本実施の形態では、外部端末装置１０５の操作で浴室暖房換気乾燥装置１の運転が行われることを操作部１４で通知することで、外出先等から外部端末装置１０５の操作で浴室暖房換気乾燥装置１が運転されていることを操作部１４で確認することができ、浴室暖房換気乾燥装置１の使用状況を確認した上で、操作が可能になる。なお、操作部１４での通知は、表示出力に限らず、音声、警告音等でも良い。
【０１６１】
ここで、外部端末装置１０５の操作で浴室暖房換気乾燥装置１等の設備機器の運転を可能とすると、外出先等からの操作では、浴室暖房換気乾燥装置１及び浴室暖房換気乾燥装置１の設置場所である浴室２０１の状態を確認できない。
【０１６２】
そこで、外部端末装置１０５の操作で浴室暖房換気乾燥装置１等の設備機器の運転を開始する場合、運転を開始するまでの待機時間を設定して、設備機器の設置場所である例えば浴室２０１に人が居る場合に、当該人の操作で外部端末装置１０５での操作の有効、無効の設定を可能とする。
【０１６３】
また、外部端末装置１０５の操作で浴室暖房換気乾燥装置１の運転を開始する場合、センサ１５として例えば人感センサで浴室暖房換気乾燥装置１の設置場所である浴室２０１に人が居ることを検出した場合に、人を検出している間は運転を開始しない、あるいは運転を無効とする。
【０１６４】
外部端末装置１０５の操作で浴室暖房換気乾燥装置１等の設備機器の運転を開始する場合、センサ１５として例えば温度検出センサで検出した浴室２０１の温度に基づき、運転の可否、運転モードの選択の可否を切り替える。
【０１６５】
例えば、設備機器がエアコンディショナー等の空調装置の場合、機器周囲または室温の温度がある温度以上であるときは、暖房運転を無効とし、ある温度以下であるときは、冷房運転を無効とすることで、外部端末装置１０５での操作を行っていない人が過剰暖房、過剰冷房の環境下に置かれることを防ぐ。
【０１６６】
また、外部端末装置１０５の操作で設備機器の運転を開始する場合、温度設定をできるような場合は、前回設定された温度情報で運転を実行して、温度変化等、状態の変化を防ぐ。
【０１６７】
外部端末装置１０５の操作で浴室暖房換気乾燥装置１等の設備機器の運転を開始する場合、ルーバ等の可動部分、清掃可能箇所に注意喚起の文言を表示する。また、可動部あるいは清掃可能箇所の近傍に、外部端末装置１０５での操作を無効とする操作部位を設けても良い。
【０１６８】
また、外部端末装置１０５の操作で浴室暖房換気乾燥装置１等の設備機器の運転を停止する場合、可動部を所定のポジションに戻すような構成であっては、可動部を運転時の位置で停止させても良い。
【０１６９】
図１８は、操作設定情報に基づく動作の一例を示すフローチャートで、次に、各図を参照して、浴室暖房換気乾燥装置１で実行されている運転モードを選択した操作部位以外での操作を無効とする操作設定情報に基づく動作について説明する。
【０１７０】
浴室暖房換気乾燥装置１では、操作部１４から入力された制御情報による操作を有効とするか無効とするか、外部端末装置１０５から入力された外部制御情報による浴室暖房換気乾燥装置１の操作を有効とするか無効とするかが、操作設定情報により予め設定される。これにより、浴室暖房換気乾燥装置１で実行されている運転モードを選択した操作部位での操作が有効と設定され、他の操作部位での操作が無効と設定されている。
【０１７１】
操作設定情報の設定は、操作部１４あるいは外部端末装置１０５から行われる。ここで、外部端末装置１０５から操作設定情報の設定を行う場合は、パスコード等の認証情報の入力を外部端末装置１０５で要求することで、認証情報を知らない人の操作で外部端末装置１０５から操作設定情報が変更させることを防ぐ。
【０１７２】
図１８のステップＳＧ１で、運転モードの選択等、操作部１４あるいは外部端末装置１０５で浴室暖房換気乾燥装置１の操作をすると、図１８のステップＳＧ２で、操作設定情報で操作部１４からの操作を有効としているか、外部端末装置１０５からの浴室暖房換気乾燥装置１の操作を有効としているか判断する。
【０１７３】
外部端末装置１０５で浴室暖房換気乾燥装置１の操作が行われた場合、浴室暖房換気乾燥装置１で実行されている運転モードが外部端末装置１０５で選択されていることで、操作設定情報で外部端末装置１０５からの浴室暖房換気乾燥装置１の操作を有効としていると判断すると、図１８のステップＳＧ３で、外部端末装置１０５での操作で浴室暖房換気乾燥装置１の運転が実行される。
【０１７４】
これに対し、浴室暖房換気乾燥装置１で実行されている運転モードが操作部１４で選択されていることで、操作設定情報で外部端末装置１０５からの浴室暖房換気乾燥装置１の操作を無効としていると判断すると、図１８のステップＳＧ４で、外部端末装置１０５での浴室暖房換気乾燥装置１の操作を無効とする。
【０１７５】
また、操作部１４で浴室暖房換気乾燥装置１の操作が行われた場合、浴室暖房換気乾燥装置１で実行されている運転モードが操作部１４で選択されていることで、操作設定情報で操作部１４からの浴室暖房換気乾燥装置１の操作を有効としていると判断すると、図１８のステップＳＧ３で、操作部１４での操作で浴室暖房換気乾燥装置１の運転が実行される。
【０１７６】
これに対し、浴室暖房換気乾燥装置１で実行されている運転モードが外部端末装置１０５で選択されていることで、操作設定情報で操作部１４からの浴室暖房換気乾燥装置１の操作を無効としていると判断すると、図１８のステップＳＧ４で、操作部１４での浴室暖房換気乾燥装置１の操作を無効とする。
【０１７７】
複数の操作部位がある構成で、上述したように、住宅２００に居る人が一の操作部位である操作部１４を操作して浴室暖房換気乾燥装置１を使用しているときに、他の操作部位である外部端末装置１０５を所有する人が外出先等から浴室暖房換気乾燥装置１の操作を行えるようにすると、在宅の人が浴室暖房換気乾燥装置１を使用中であるにも関わらず、意図しない運転に切り替わる可能性がある。
【０１７８】
そこで、本実施の形態では、浴室暖房換気乾燥装置１で実行されている運転モードを選択した操作部位以外での操作を無効とすることで、実際に操作が行われる操作部位以外での操作を制限でき、使用者が意図しない運転への切り替え等を防ぐことができる。
【０１７９】
図１９は、操作設定情報に基づく動作の他の例を示すフローチャートで、次に、各図を参照して、浴室暖房換気乾燥装置１で実行されている運転モードを選択した操作部位以外での操作を有効とするか無効とするかの設定を、時間の経過で切り替える動作の一例について説明する。
【０１８０】
浴室暖房換気乾燥装置１では、浴室暖房換気乾燥装置１で実行されている運転モードを選択した操作部位以外での操作を、運転開始からの時間の経過で有効とするか無効とするかが、操作設定情報により予め設定される。操作設定情報の設定は、操作部１４あるいは外部端末装置１０５から行われる。
【０１８１】
図１９のステップＳＨ１で、運転モードの選択等、操作部１４あるいは外部端末装置１０５で浴室暖房換気乾燥装置１の操作をすると、図１９のステップＳＨ２で、操作部１４あるいは外部端末装置１０５での操作で運転を開始してから、操作設定情報で他の操作部位からの浴室暖房換気乾燥装置１の操作を有効とする時間が経過しているか判断する。
【０１８２】
操作部１４あるいは外部端末装置１０５での操作で運転を開始してから、他の操作部位からの浴室暖房換気乾燥装置１の操作を有効とする時間が経過していると判断すると、図１９のステップＳＨ３で、浴室暖房換気乾燥装置１で実行されている運転モードが操作部１４で選択されている場合は、外部端末装置１０５での操作で浴室暖房換気乾燥装置１の運転が実行される。また、浴室暖房換気乾燥装置１で実行されている運転モードが外部端末装置１０５で選択されている場合は、操作部１４での操作で浴室暖房換気乾燥装置１の運転が実行される。
【０１８３】
これに対し、操作部１４あるいは外部端末装置１０５での操作で運転を開始してから、他の操作部位からの浴室暖房換気乾燥装置１の操作を有効とする時間が経過していないと判断すると、図１９のステップＳＨ４で、浴室暖房換気乾燥装置１で実行されている運転モードが操作部１４で選択されている場合は、外部端末装置１０５での浴室暖房換気乾燥装置１の操作を無効とする。また、浴室暖房換気乾燥装置１で実行されている運転モードが外部端末装置１０５で選択されている場合は、操作部１４での操作を無効とする。
【０１８４】
複数の操作部位がある構成で、例えば、外部端末装置１０５での浴室暖房換気乾燥装置１の操作を無効とする場合でも、操作部１４での操作で運転を開始してから、所定の時間が経過しているような場合は、浴室２０１に人が居ない、被乾燥物が乾燥している等、浴室暖房換気乾燥装置１の使用を停止しても良い場合がある。
【０１８５】
そこで、本実施の形態では、操作部１４での操作で運転を開始してからの時間の経過で、外部端末装置１０５での操作を有効とするか無効とするかの設定を切り替えることで、浴室暖房換気乾燥装置１の機能を使用しているような場合に、使用者が意図しない運転への切り替え等を防ぐことができる。
【０１８６】
図２０は、操作設定情報に基づく動作の他の例を示すフローチャートで、次に、各図を参照して、浴室暖房換気乾燥装置１で実行されている運転モードを選択した操作部位以外での操作を有効とするか無効とするかの設定を、時間の経過で切り替える動作の他の例について説明する。
【０１８７】
浴室暖房換気乾燥装置１では、操作部１４あるいは外部端末装置１０５による浴室暖房換気乾燥装置１の操作を、運転終了までの残り時間で有効とするか無効とするかが、操作設定情報により予め設定される。操作設定情報の設定は、操作部１４あるいは外部端末装置１０５から行われる。
【０１８８】
図２０のステップＳＩ１で、運転モードの選択等、操作部１４あるいは外部端末装置１０５で浴室暖房換気乾燥装置１の操作をすると、図２０のステップＳＩ２で、操作部１４あるいは外部端末装置１０５での操作で運転を開始してから、運転終了までの残り時間が、操作設定情報で他の操作部位からの浴室暖房換気乾燥装置１の操作を有効とする時間より短いか判断する。
【０１８９】
操作部１４あるいは外部端末装置１０５での操作で運転を開始してから、運転終了までの残り時間が、他の操作部位からの浴室暖房換気乾燥装置１の操作を有効とする時間より短いと判断すると、図２０のステップＳＩ３で、浴室暖房換気乾燥装置１で実行されている運転モードが操作部１４で選択されている場合は、外部端末装置１０５での操作で浴室暖房換気乾燥装置１の運転が実行される。また、浴室暖房換気乾燥装置１で実行されている運転モードが外部端末装置１０５で選択されている場合は、操作部１４での操作で浴室暖房換気乾燥装置１の運転が実行される。
【０１９０】
これに対し、操作部１４あるいは外部端末装置１０５での操作で運転を開始してから、運転終了までの残り時間が、他の操作部位からの浴室暖房換気乾燥装置１の操作を有効とする時間より長いと判断すると、図２０のステップＳＩ４で、浴室暖房換気乾燥装置１で実行されている運転モードが操作部１４で選択されている場合は、外部端末装置１０５での浴室暖房換気乾燥装置１の操作を無効とする。また、浴室暖房換気乾燥装置１で実行されている運転モードが外部端末装置１０５で選択されている場合は、操作部１４での操作を無効とする。
【０１９１】
複数の操作部位がある構成で、例えば、外部端末装置１０５での浴室暖房換気乾燥装置１の操作を無効とする場合でも、操作部１４での操作で運転を開始してから、運転終了までの残り時間が、所定の時間より短いような場合は、浴室２０１に人が居ない、被乾燥物が乾燥している等、浴室暖房換気乾燥装置１の使用を停止しても良い場合がある。
【０１９２】
一方、操作部１４での操作で暖房運転モードを開始した直後に、外部端末装置１０５からの操作で他の運転モードに変更されてしまう、乾燥運転モードの終了時間近くに外部端末装置１０５からの操作で運転が停止されてしまうことで、使用者の目的が果たせなくなる場合がある。
【０１９３】
そこで、本実施の形態では、操作部１４での操作で運転を開始してから、運転終了までの残り時間で、外部端末装置１０５での操作を有効とするか無効とするかの設定を切り替えることで、浴室暖房換気乾燥装置１の機能を使用しているような場合に、使用者が意図しない運転への切り替え等を防ぐことができる。
【０１９４】
図２１は、外因による運転停止後の動作の一例を示すフローチャート、図２２は、外部端末装置での表示例を示す説明図、図２３は、操作部での出力例を示す説明図であり、次に、外因による運転停止後の浴室暖房換気乾燥装置１の動作の一例について説明する。
【０１９５】
図２１のステップＳＪ１で、設備機器管理システム１００での電力制限等の外因で浴室暖房換気乾燥装置１の運転が停止すると、図２１のステップＳＪ２で、外因で浴室暖房換気乾燥装置１の運転が停止されたことを通知する通知情報が、宅内ネットワーク１０１から外部ネットワーク１０４に接続された外部端末装置１０５に通知情報が出力される。外部端末装置１０５では、図２２に示すように、外因で浴室暖房換気乾燥装置１の運転が停止されたことを通知する通知情報１０５ｍを表示する。
【０１９６】
また、図２１のステップＳＪ３で、外因で浴室暖房換気乾燥装置１の運転が停止されたことを操作部１４で通知するため、図２３に示すように、操作部１４の外部運転通知ランプ１４ｅが点灯する。
【０１９７】
図２１のステップＳＪ４で、設備機器管理システム１００での電力制限が解除されると、図２１のステップＳＪ５で、浴室暖房換気乾燥装置１は、運転停止前に実行していた運転モードで運転を再開する。
【０１９８】
浴室暖房換気乾燥装置１で例えば乾燥運転モードの実行中に、設備機器管理システム１００での電力制限等の外因で浴室暖房換気乾燥装置１の運転が停止した後、電力制限が解除された時に運転が停止したままであると、被乾燥物の乾燥が行えない。
【０１９９】
そこで、本実施の形態では、電力制限が解除されると、運転停止前に実行していた運転モードで運転を再開することで、例えば、運転停止前に乾燥運転モードが実行されていた場合は、乾燥運転モードでの運転が再開され、被乾燥物の乾燥を行うことができる。また、使用者が操作せずとも運転が再開でき、操作の手間を省略することができる。
【０２００】
更に、設備機器管理システム１００での電力制限等の外因で浴室暖房換気乾燥装置１の運転が停止したことを、外部端末装置１０５及び操作部１４で表示出力することで、使用者等は運転停止の要因を認識できる。これにより、運転停止の要因が故障や誤動作でないと判断でき、取り扱い説明書の確認や保守の依頼等の手間を省略することができる。
【０２０１】
図２４は、浴室暖房換気乾燥装置と他機器を連動させた動作の一例を示すフローチャートで、次に、各図を参照して、設備機器管理システム１００に接続された浴室暖房換気乾燥装置１と他機器を連動させた動作について説明する。
【０２０２】
図２４のステップＳＫ１で、浴室暖房換気乾燥装置１が接続された設備機器管理システム１００の主制御機器１０２は、浴室暖房換気乾燥装置１から入力された運転情報、設備機器管理システム１００に接続された他機器、例えば、図示しないレンジフード等の換気を行う機能を有した設備機器から入力された運転情報から、各設備機器の動作状況を監視する。
【０２０３】
図２４のステップＳＫ２で、浴室暖房換気乾燥装置１と他の設備機器の換気風量が適正であるか判断し、換気風量が適正であれば、図２４のステップＳＫ３で、浴室暖房換気乾燥装置１の運転を継続する。これに対し、他の設備機器の換気風量が大きい等、他の設備機器を運転した場合に換気風量が適正でないと判断すると、図２４のステップＳＫ４で、主制御機器１０２は、浴室暖房換気乾燥装置１に外部制御信号を出力し、浴室暖房換気乾燥装置１の運転を停止させる。
【０２０４】
浴室暖房換気乾燥装置１で浴室２０１及び他室の換気を行っている状態で、例えば、レンジフード等の換気機能を有した他の設備機器を動作させた場合、各設備機器の換気風量によっては、浴室暖房換気乾燥装置１で構成される風路で空気が逆流する可能性がある。
【０２０５】
そこで、本実施の形態では、設備機器管理システム１００に接続された所定の設備機器が運転されると、浴室暖房換気乾燥装置１の運転を停止させて、浴室暖房換気乾燥装置１の風路を閉じることで空気の逆流を防ぎ、居室への臭気の流れ込み等を防ぐことができる。
【０２０６】
図２５は、外部端末装置での操作設定情報に基づく動作の一例を示すフローチャートで、次に、各図を参照して、外部端末装置１０５での操作を有効とするか無効とするかが設定される操作設定情報に基づく動作について説明する。
【０２０７】
浴室暖房換気乾燥装置１では、外部端末装置１０５から入力された外部制御情報による浴室暖房換気乾燥装置１の操作を有効とするか無効とするかが、操作設定情報により予め設定される。操作設定情報の設定は、操作部１４あるいは外部端末装置１０５から行われる。
【０２０８】
図２５のステップＳＬ１で、運転モードの選択等、外部端末装置１０５で浴室暖房換気乾燥装置１の操作をすると、図２５のステップＳＬ２で、操作設定情報で外部端末装置１０５からの浴室暖房換気乾燥装置１の操作を有効としているか無効としているか判断する。
【０２０９】
操作設定情報で外部端末装置１０５からの浴室暖房換気乾燥装置１の操作を有効としていると判断すると、図２５のステップＳＬ３で、外部端末装置１０５での操作で浴室暖房換気乾燥装置１の運転が実行される。これに対し、操作設定情報で外部端末装置１０５からの浴室暖房換気乾燥装置１の操作を無効としていると判断すると、図２５のステップＳＬ４で、外部端末装置１０５での浴室暖房換気乾燥装置１の操作を無効とする。
【０２１０】
上述したように、住宅２００に居る人が操作部１４を操作して浴室暖房換気乾燥装置１を使用しているときに、外部端末装置１０５を所有する人が外出先等から浴室暖房換気乾燥装置１の操作を行えるようにすると、在宅の人が浴室暖房換気乾燥装置１を使用中であるにも関わらず、意図しない運転に切り替わる可能性がある。
【０２１１】
そこで、本実施の形態では、外部端末装置１０５での操作を有効とするか、無効とするかを設定できるようにすることで、実際に操作が行われる操作部１４以外での操作を制限でき、使用者が意図しない運転への切り替え等を防ぐことができる。
【０２１２】
スマートフォン等の外部端末装置１０５で浴室暖房換気乾燥装置１等の設備機器を操作できるようにした設備機器管理システム１００では、外部端末装置１０５を家族一人ひとりが所有する場合がある。このため、複数の外部端末装置１０５での操作を制限する設定、すなわち、操作を有効とするか無効とするか、操作の優先順位等が設定される。
【０２１３】
例えば、設備機器管理システム１００の主制御機器１０２に対して、複数の外部端末装置１０５での操作の優先順位を設定できるようにしても良い。主制御機器１０２は、外部端末装置１０５からの外部制御信号に対して、外部端末装置１０５毎に設定されている操作の優先順位に基づき、操作が優先される外部端末装置１０５を判断する。
【０２１４】
そして、複数の外部端末装置１０５から外部制御信号が入力された場合、操作を優先する外部端末装置１０５からの外部制御信号を浴室暖房換気乾燥装置１に出力して操作を有効とし、他の外部端末装置１０５からの外部制御信号は出力せず、操作を無効とする。
【０２１５】
また、浴室暖房換気乾燥装置１等の設備機器の制御部１６に対して、複数の外部端末装置１０５での操作の優先順位を設定できるようにしても良い。設備機器管理システム１００の主制御機器１０２は、複数の外部端末装置１０５からの外部制御信号を浴室暖房換気乾燥装置１に出力する。浴室暖房換気乾燥装置１の制御部１６は、外部端末装置１０５毎に設定されている操作の優先順位に基づき、操作が優先される外部端末装置１０５を判断する。そして、操作を優先する外部端末装置１０５からの外部制御信号に基づき浴室暖房換気乾燥装置１を制御し、他の外部端末装置１０５での操作を無効とする。
【０２１６】
更に、設備機器管理システム１００の主制御機器１０２、あるいは、浴室暖房換気乾燥装置１等の設備機器の制御部１６は、複数の外部端末装置１０５からの外部制御信号に対して、後から入力された外部制御信号を優先しても良い。
【０２１７】
また、設備機器管理システム１００の主制御機器１０２、あるいは、浴室暖房換気乾燥装置１等の設備機器の制御部１６は、複数の外部端末装置１０５からの外部制御信号に対して、任意の外部端末装置１０５での後からの操作で外部制御信号が入力されたとき、先に操作が行われた外部端末装置１０５に操作許可を求める通知情報を出力する。そして、先に操作が行われた外部端末装置１０５の使用者に、操作の変更の許可を求めるようにしても良い。
【０２１８】
更に、設備機器管理システム１００の主制御機器１０２、あるいは、浴室暖房換気乾燥装置１等の設備機器の制御部１６は、複数の外部端末装置１０５からの外部制御信号に対して、任意の外部端末装置１０５での後からの操作で外部制御信号が入力されたとき、先に他の外部端末装置１０５での操作で動作していることを通知する通知情報を、後から操作された外部端末装置１０５に出力する。そして、後からの外部端末装置１０５での操作を無効とするようにしても良い。
【０２１９】
図２６及び図２７は、通信制御部の着脱に基づく動作の一例を示すフローチャートで、次に、各図を参照して、通信制御部１０の着脱で、外部端末装置１０５等での操作を有効とするか無効とするかを設定する動作について説明する。
【０２２０】
通信制御部１０が浴室暖房換気乾燥装置１に対して着脱可能な構成であって、図２６のステップＳＭ１で、通信制御部１０が浴室暖房換気乾燥装置１に接続される。図２６のステップＳＭ２で、通信制御部１０が浴室暖房換気乾燥装置１に接続されていると判断すると、図２６のステップＳＭ３で、外部端末装置１０５等、設備機器管理システム１００に接続された外部の端末との通信を行って動作を行う。
【０２２１】
図２６のステップＳＭ２で、通信制御部１０が浴室暖房換気乾燥装置１に接続されていないと判断すると、図２６のステップＳＭ４で、設備機器管理システム１００から独立して動作を行う。
【０２２２】
図２７のステップＳＮ１で、通信制御部１０が浴室暖房換気乾燥装置１から取り外される。図２７のステップＳＮ２で、通信制御部１０が浴室暖房換気乾燥装置１から取り外されていると判断すると、図２７のステップＳＮ３で、設備機器管理システム１００から独立して動作を行う。
【０２２３】
図２７のステップＳＮ２で、通信制御部１０が浴室暖房換気乾燥装置１から取り外されていないと判断すると、図２７のステップＳＮ４で、外部端末装置１０５等、設備機器管理システム１００に接続された外部の端末との通信を行って動作を行う。
【０２２４】
上述した実施の形態では、通信制御部１０の着脱で、設備機器管理システム１００に接続された外部の端末での誤操作等による浴室暖房換気乾燥装置の意図しない運転を防ぐことができる。
【産業上の利用可能性】
【０２２５】
本発明は、住宅に設置される熱源を有する浴室暖房換気乾燥装置、レンジフード、熱交換型換気装置等の他の換気装置、エアコンディショナー等の空調装置、空気清浄装置、熱源を有する床暖房装置等に適用される。
【符号の説明】
【０２２６】
１・・・浴室暖房換気乾燥装置、１０・・・通信制御部、１４・・・操作部、１６・・・制御部、１００・・・設備機器管理システム、１０１・・・宅内ネットワーク、１０２・・・主制御機器、１０５・・・外部端末装置
【図１】
2014110455.tif 000003
【図２】
2014110455.tif 000004
【図３】
2014110455.tif 000005
【図４】
2014110455.tif 000006
【図５】
2014110455.tif 000007
【図６】
2014110455.tif 000008
【図７】
2014110455.tif 000009
【図８】
2014110455.tif 000010
【図９】
2014110455.tif 000011
【図１０】
2014110455.tif 000012
【図１１】
2014110455.tif 000013
【図１２】
2014110455.tif 000014
【図１３】
2014110455.tif 000015
【図１４】
2014110455.tif 000016
【図１５】
2014110455.tif 000017
【図１６】
2014110455.tif 000018
【図１７】
2014110455.tif 000019
【図１８】
2014110455.tif 000020
【図１９】
2014110455.tif 000021
【図２０】
2014110455.tif 000022
【図２１】
2014110455.tif 000023
【図２２】
2014110455.tif 000024
【図２３】
2014110455.tif 000025
【図２４】
2014110455.tif 000026
【図２５】
2014110455.tif 000027
【図２６】
2014110455.tif 000028
【図２７】
2014110455.tif 000029